(57)【要約】【課題】  貯蔵食品のカスが落下したり、あるいは、貯蔵食品自身がこぼれたりした場合にも、作動不良を起こす恐れの少ない扉自動開放装置を有する冷蔵庫を提供する。【解決手段】  複数の貯蔵室を有し、少なくとも１つの貯蔵室には前後に出し入れ自在な引き出し扉を有し、前記複数の貯蔵室を区画する仕切板を有する冷蔵庫において、前記引き出し扉は、該引き出し扉に設けられた扉自動開放装置を操作することにより前記仕切板に設けられたスイッチ装置をＯＮさせることにより、冷蔵庫本体に設けられた駆動装置により前記引き出し扉を駆動させ、前記スイッチ装置は、前記仕切板に設けられ、釦と該釦を摺動可能に保持する保持部とを備えたケース部材を有しており、前記保持部は前記仕切板表面よりも突出した位置に開口上縁部及び側縁部を設けたことを特徴とする冷蔵庫。【選択図】図４
2008196751.tif 000002
【特許請求の範囲】
【請求項１】
複数の貯蔵室を有し、少なくとも１つの貯蔵室には前後に出し入れ自在な引き出し扉を有し、前記複数の貯蔵室を区画する仕切板を有する冷蔵庫において、
前記引き出し扉は、該引き出し扉に設けられた扉自動開放装置を操作することにより前記仕切板に設けられたスイッチ装置をＯＮさせることにより、冷蔵庫本体に設けられた駆動装置により前記引き出し扉を駆動させ、
前記スイッチ装置は、前記仕切板に設けられ、釦と該釦を摺動可能に保持する保持部とを備えたケース部材を有しており、
前記保持部は前記仕切板表面よりも突出した位置に開口上縁部及び側縁部を設けたことを特徴とする冷蔵庫。
【請求項２】
請求項１において、前記側縁部の下端部は、前記保持部の開口下端よりも下方に位置するように形成されていることを特徴とする冷蔵庫。
【請求項３】
請求項１又は２において、前記ケース部材の前記開口上縁部よりも後方に凹状溝を設けたことを特徴とする冷蔵庫。
【請求項４】
請求項１〜３のいずれか１項において、前記スイッチ装置はホールＩＣを利用したものであることを特徴とする冷蔵庫。
【請求項５】
請求項１〜４のいずれか１項において、前記開口上縁部は、左右に傾斜する傾斜部が形成されていることを特徴とする冷蔵庫。
【発明の詳細な説明】
【技術分野】
【０００１】
本発明は、扉開放装置を有する冷蔵庫に関するものである。
【背景技術】
【０００２】
扉開放装置を有する冷蔵庫の従来例としては、例えば、特許文献１に示すように、引出し扉を支持する支持フレーム内にタイミングベルトを設け、タイミングベルト上を摺動する自動オープンユニットを設け、自動オープンユニットは、引出し扉を押し出すスライドピンと、タイミングベルト上を動作するローラーを駆動させるための駆動手段で構成するものや、例えば、特許文献３（図８）に記載されているように、野菜室３の下部の仕切り板１３に設けられた凹部１５にモータユニット１７を配設し、前記モータユニット１７は、モータ１８と野菜室３の前方に設けられた扉３ａを押圧する押出し棒１９、歯車装置、復帰用バネ等を備え、そして、前記モータユニット１７の通電時には、前記モータ１８が駆動され、これに応じて押出し棒１９が前方へ移動され、この結果、前記扉３ａが前記押出し棒１９に押圧されて開放するようにしたもの等が知られている。
【０００３】
また、冷蔵庫用ドアスイッチの防水構造に関するものは、特許文献４（図９）に示すように、ドアの開閉を検知するドアスイッチのボタンを覆うボタン覆い６と、ドアスイッチが冷蔵庫２に取り付けられるとき固定されるフランジを覆うフランジ覆い７と、固定手段８とを備えた防水キャップ１０を採用したものが知られている。
【０００４】
【特許文献１】特開２０００−  ２２０９５７号公報
【特許文献２】特開２００６−  ３０８１６７号公報
【特許文献３】特開２００１−  ２８０８２７号公報
【特許文献４】特開平７−２４３７５７号公報
【発明の開示】
【発明が解決しようとする課題】
【０００５】
従来は、上述した特許文献１に示したように、冷蔵庫庫内に設置された自動オープンユニットのスライドピンの移動により引出し扉を開放していた。従って、扉が開放したときには、冷蔵庫の庫外の比較的多湿で且つ温かい空気が、冷蔵庫庫内に侵入して、比較的冷たい庫内壁に水滴となって付着し、該水滴が前記スライドピン周辺に滴下して、該スライドピンの作動や、自動オープンユニット内の電気接点に障害をおよぼす恐れがあった。また、万一、冷蔵庫庫内に貯蔵した液体状の食品、例えば、醤油、ソース、或いは、ジュース類等がこぼれた場合には、該液体状食品が前記スライドピン周辺に付着して、該スライドピンの作動や、自動オープンユニット内の電気接点に障害をおよぼす恐れがあった。
【０００６】
また、特許文献２では、引出し扉に開放補助機能を設けた冷蔵庫において扉側ハンドルの操作で上記開放補助機能をＯＮＯＦＦさせるスイッチ（検知器）と各室を断熱区画する仕切り壁前面に設け、ハンドルの操作時にこのスイッチを動作させる構造が示されている。しかしながらスイッチ取り付け構造には仕切り壁に付いた水滴等がスイッチケース内に入るのを防止する構造についてはなんら触れていない。
【０００７】
また、特許文献３（図８）に示したように、モータユニット１７は、野菜室３の下部に設けられているため、万一、庫内に貯蔵された野菜等の「くず」等がその周辺に付着すると、押出し棒１９や、モータユニット１７内の作動部品に、作動不良等を生じる恐れがあった。
【０００８】
しかし、前述した特許文献１、２や３には、上述した問題を解決する為の具体的提案は無い。
【０００９】
また、冷蔵庫用ドアスイッチの防水構造に関するものは、特許文献４（図９）に示したように、ドアスイッチを覆う例えばシリコンゴム等よりなる防水キャップ１０を追加しているので、該防水キャップ１０の制作費や取り付け作業費分だけ製造コスト上不利になる課題があった。
【００１０】
しかし、前述した特許文献４には、上述した問題を解決する為の具体的提案は無い。
【００１１】
従って、本発明は、このような従来の構成が有していた問題を解決しようとするものである。その目的とする所は、製造コスト上安価で、且つ、貯蔵食品のカスが落下したり、あるいは、貯蔵食品自身がこぼれたりする場合にも、作動不良を起こす恐れの少ない扉自動開放装置を有する冷蔵庫を提供するものである。
【課題を解決するための手段】
【００１２】
本発明は、複数の貯蔵室を有し、少なくとも１つの貯蔵室には前後に出し入れ自在な引き出し扉を有し、前記複数の貯蔵室を区画する仕切板を有する冷蔵庫において、
前記引き出し扉は、該引き出し扉に設けられた扉自動開放装置を操作することにより前記仕切板に設けられたスイッチ装置をＯＮさせることにより、冷蔵庫本体に設けられた駆動装置により前記引き出し扉を駆動させ、
前記スイッチ装置は、前記仕切板に設けられ、釦と該釦を摺動可能に保持する保持部とを備えたケース部材を有しており、
前記保持部は前記仕切板表面よりも突出した位置に開口上縁部及び側縁部を設けたことを特徴とする。
【００１３】
又、前記側縁部の下端部は、前記保持部の開口下端よりも下方に位置するように形成されていることを特徴とする。
【００１４】
又、前記ケース部材の前記開口上縁部よりも後方に凹状溝を設けたことを特徴とする冷蔵庫。
【００１５】
又、前記スイッチ装置はホールＩＣを利用したものであることを特徴とする冷蔵庫。
【００１６】
又、前記開口上縁部は、左右に傾斜する傾斜部が形成されていることを特徴とする。
【発明の効果】
【００１７】
貯蔵食品のカスが降下したり、或いは液体状食品がこぼれたりして、仕切板前面に付着して、スイッチ装置の釦部に侵入しても、スイッチ装置の釦部が、防水リブである開口上縁部及び側縁部によりガードされているので、スイッチ装置の釦部の作動不良を起こす恐れが少ないため、扉自動開放装置の故障の少ない冷蔵庫を提供できる。
【発明を実施するための最良の形態】
【００１８】
以下、本発明の実施例について、図面を参照しながら説明する。
【実施例１】
【００１９】
図１は本発明の第１の実施例における冷蔵庫の構成を示す斜視図であり、図２は図１における要部縦断面説明図である。
【００２０】
図１および図２に於いて、冷蔵庫４０は複数の貯蔵室に分割されており、最上部は冷蔵室４２となっていてその扉４２ａは一例として左右両側に開く所謂観音式ドアとなっている。冷蔵室４２の下側は左右に分割された貯蔵室となっており、例えばその一方は製氷室４３となっており、もう一方は例えば機能切換室４４となっている。さらにその下部は手前に引き出して開放可能な後述する引出し式扉４５ａを備えた冷凍室４５となっており、最下段も手前に引き出して開放可能な後述する引出し式扉４６ａを備えた野菜室４６となっている構成である。
【００２１】
そして、上記冷蔵室４２、製氷室４３、切換室４４、冷凍室４５、及び野菜室４６は、冷却器４８にて生成した冷気を送風機４９にて送風循環することにより、且つ、圧縮機
４７や上記送風機４９の運転を制御装置５０により制御することにより、それぞれ所定の温度に冷却できるように構成してある。
【００２２】
そして、５２，５３，５４は上記の貯蔵室を区画形成するための横仕切であり、横仕切５３は引出し式扉４５ａと、その上方に位置する扉４３ａ及び４４ａのシール用パッキング６２の受面を形成すると共に、後述するスイッチ装置２００を設けてあり、横仕切５４は引出し式扉４６ａと、その上方に位置する扉４５ａのシール用パッキング６２の受面を形成すると共に、後述するスイッチ装置２００を設けてある。
【００２３】
そして、上記冷凍室４５と野菜室４６は、後述する扉自動開放操作部１００をそれぞれに備えている。
【００２４】
前記扉自動開放操作部１００は、横仕切側に設けられた後述するスイッチ装置２００と、引出し式扉４５ａ若しくは４６ａの正面側に設けられ、且つ、前記スイッチ装置２００を押せるように構成された後述する操作部３００とを備えている。また、冷凍室４５内若しくは野菜室４６内に設けられ、且つ、前記スイッチ装置２００がＯＮされた時に、制御装置５０の判断と指令によって引き出し扉を押し出すように駆動する駆動装置５００と、該駆動装置５００の駆動によって扉４５ａ若しくは扉４６ａを自動的に、例えば図２に示すように開放するように構成された被駆動装置４００とを備えている。以下、駆動装置
５００と被駆動装置４００を合わせて扉自動開放装置と称する。
【００２５】
そして上記駆動装置５００は例えば箱体４１側に固定されており、被駆動装置４００は、上記冷凍室扉４５ａ若しくは野菜室扉４６ａに固定された枠４５ｂ若しくは枠４６ｂに固定された支持部材５６に固定されている。
【００２６】
なお、上記枠４５ｂ若しくは枠４６ｂは例えば箱体４１側に設けられたスライドレール５５によって、上記冷凍室扉４５ａ若しくは野菜室扉４６ａと共に手前に引出し自在になるように構成されている。
【００２７】
そして、上記扉自動開放装置は、冷凍室扉４５ａ若しくは野菜室扉４６ａを開放するときの初期に要する大きな扉開放力、例えば、シール用パッキング６２内に内蔵された磁石の吸着を引き剥がす力や扉４５ａ若しくは４６ａの自重および貯蔵された食品の質量を加速する力等の大きな扉開放力を必要とするときには、後述するスイッチ装置２００をＯＮすることにより、駆動装置５００の駆動による被駆動装置４００の移動によって、扉を自動的に、図２に示すように開放するように構成してある。
【００２８】
なお、上記スイッチ装置２００がＯＦＦのままであっても、冷蔵庫使用者の意思によって、ハンドル６１に扉を開放するに充分な力を加えれば、上記被駆動装置４００が駆動装置５００を強制的に逆動して上記扉を開放できるようにも構成してある。
【００２９】
換言すれば、上記扉自動開放装置は、自動的にも、手動的にも、扉を開放できるように構成してある。
【００３０】
また、上記冷凍室４５に設けた扉自動開放装置と上記野菜室４６に設けた扉自動開放装置とは、扉を開放する力のみを、該扉の必要開放力に設定すれば同一の部品構成にすることが出来るように構成してある。従って、部品標準化上有利な構成とすることができる。
【００３１】
次に、図３から図４について説明する。図３は前述した図２におけるＡ部の拡大説明図その１であり、上述したスイッチ装置２００と操作部３００との関係説明図である。図４は前述した図２におけるＡ部の拡大説明図その２であり、上述した操作部３００によってスイッチ装置２００を押した時の関係説明図である。なお、［図３（ａ）］は冷凍室扉
４５ａおよび野菜室扉４６ａをともに閉塞した状態の説明図であり、［図３（ｂ）］は冷凍室扉４５ａを開放し、野菜室扉４６ａのみ閉塞した状態の説明図である。なお、前述した図１から図２と同一構成については、同一符号を付して詳細な説明を省略する。
【００３２】
図３から図４に於いて、２００は、横仕切５４の前面部、つまり箱体４１側の開口前面に設けられたスイッチ装置であり、３００は、前記引出し式扉４６ａの正面側に、且つ、扉側のハンドル付近に設けられた、前記スイッチ装置２００をＯＮするための操作部である。
【００３３】
スイッチ装置２００は、仕切板５４に埋設され、電気接点機構２０１と、該電気接点機構のヘッド部２０１ａを押せるように構成されたスイッチ装置の釦２０３と、前記電気接点機構２０１を保持すると共にスイッチ装置の釦２０３を摺動可能に保持する保持部である摺動用穴２０２ｃを有するケース部材２０２とにより構成されている。
【００３４】
そして、前記ケース部材の摺動用穴２０２ｃの開口上縁部及び側縁部には、後述するような食品カスや液体状食品等が前記スイッチ装置の釦２０３に付着しないように防水リブ２０２ｂを設けてある。
【００３５】
換言すれば、後述する扉側の操作部３００によってスイッチ装置の釦２０３の表面部
２０３ａが図４に示すように押された場合にも、後述するような食品カスや液体状食品等が前記スイッチ装置の釦２０３とケース部材２０２との摺動部２０３ｃに侵入し難いように、前記スイッチ装置の釦２０３を囲うように防水リブ２０２ｂを設けてある。
【００３６】
つまり、該冷蔵庫に出し入れする液体状食品や食品カスが、その出し入れの際に万一庫内にこぼれた場合には、且つ、［図３−ｂ］に示すように冷凍室扉４５ａを開放した場合には、上記こぼれた食品カスや液体状食品等が、横仕切５４の前面部、つまり、シール用パッキングの受面を形成するパッキング閉塞面５４ａ部にこぼれ落ちるので、該こぼれ落ちた食品カスや液体状食品等が前記摺動部２０３ｃに侵入し難いように、スイッチ装置の釦２０３を囲うような防水リブ２０２ｂを設けてある。
【００３７】
一方、引出し式扉正面側に位置する操作部３００は、前記スイッチ装置の釦表面部203aを押せるように構成された操作部の押し部３０１と、該押し部３０１を移動させるように構成された操作部の表面部３０２と、該表面部３０２を［図３（ｂ）］に示す予め設定された所定の寸法Ｌ１、例えば、２ｍｍから６ｍｍに保持するバネ部材３０３とにより構成されている。
【００３８】
そして、上記操作部の表面部３０２は、扉側に設けた扉開閉用のハンドル６１の手掛部６１ａ近辺に、且つ、該ハンドル手掛部６１ａに掛けた手のうちの、少なくとも一本の指で、前記操作部の表面部３０２を、選択的に押せるようにして設けてある。
【００３９】
つまり、ハンドル手掛部６１ａに手を掛けた該冷蔵庫の使用者が、上記扉自動開放装置の自動運転を必要とすれば、その扉開放意思によって、ハンドル手掛部６１ａに掛けた手のうちの、少なくとも一本の指で、前記操作部の表面部３０２を押すこともできるし、或いは、ハンドル手掛部６１ａに手を掛けた該冷蔵庫の使用者が、上記扉自動開放装置の自動運転を必要としないときには、その扉開放意思によって、前記操作部３００の表面部
３０２を押さないようにすることもできるように構成してある。
【００４０】
なお、６１ｂは上記操作部３００の可動がスムーズとなるように設けられた支持部材であり、６１ｃは上記操作部３００の露出を防止するハンドルカバーである。
【００４１】
なお、図４に示す操作部の表面部３０２の押し代Ｌ５寸法と、スイッチ装置の釦２０３の移動押し代Ｌ４寸法とを、図示しない方法によって異なるように設定しても良い。
【００４２】
つまり、扉と箱体とを閉塞するシール用パッキング６２は、通常可撓性を有する、例えば、軟質の合成樹脂等により形成されるので、その高さ寸法Ｌ６には製造上のある程度のバラツキ寸法が生じ、且つ、該扉自身の質量や貯蔵される食品の質量によって、該扉を閉塞する時の衝撃による撓み寸法にバラツキが生じることは当業者の良く知る所である。従って、上記バラツキ寸法によって前記扉自動開放装置が誤作動しないようにする為に、
［図３（ｂ）］に示すＬ２寸法は、予め零より大きい所定の寸法に設定する必要がある。一方、使い勝手上からは、図４に示す操作部の表面部３０２の押し代Ｌ５寸法は小さい方が、該冷蔵庫の使い勝手が良いことも当業者の良く知る所である。従って、例えば、［スイッチ装置の釦２０３の移動押し代Ｌ４寸法］＞［操作部の表面部３０２の押し代Ｌ５寸法］と成るように構成してもよい。
【００４３】
次に、図５により説明する。
【００４４】
図５は本発明の第１の実施例におけるスイッチ装置２００と操作部３００との相対位置関係を説明する説明図であり、（ａ）は斜視図、（ｂ）は（ａ）の要部断面図である。なお、前述した図１から図４と同一構成については同一符号を付して詳細な説明を省略する。
【００４５】
図に於いて、スイッチ装置２００はケース部材２０２の摺動用穴２０２ｃ内を前後に摺動する釦式に構成してある。つまり、スイッチ装置の釦２０３が前記摺動用穴２０２ｃ内を前後に摺動することにより、スイッチ装置２００をＯＮ、ＯＦＦできるように構成してある。
【００４６】
そして、防水リブ２０２ｂを、上記摺動用穴２０２ｃを延長した形状にすると共に、上記防水リブ先端２０２ｂｂを前記スイッチ装置の釦２０３の表面部２０３ａと同一平面となるように構成してある。
【００４７】
また、防水リブ２０２ｂは、上縁部の厚さが側縁部に対して薄くなるように構成されており、下端が前記摺動用穴内２０２ｃの下面よりも下方に設けられている。
【００４８】
また、凹状溝２０２ｄは、前記防水リブ２０２ｂの裏側に前記ケース部材２０２の幅全体にわたるよう構成されている。
【００４９】
また、前記スイッチ装置の釦２０３の下部２０３ｄは、前記摺動用穴開口面、つまり、ケース部材のフランジ部２０２ａとの間に、前記操作部の押し部３０１が押し込めるようにした押し込み寸法δｘを確保するように構成してある。
【００５０】
つまり、該冷蔵庫に貯蔵した貯蔵食品のカスが降下したり、或いは液体状食品がこぼれたりして、前記スイッチ装置の釦表面２０３ａに付着しても、該食品カスや液体状食品が前記δｘ寸法部より落下し易いように構成されている。
【００５１】
また、万一、長期使用中の扉負荷等により、扉位置が下がって前記扉側の操作部の押し部３０１が図５（ｂ）に示す点線図Ｄに示すように下がっても、フランジ部２０２ａとの間に押し込み寸法δｘを確保できるようにしてあるので、扉自動開放操作部１００の誤作動する恐れが少ない構成としてある。
【００５２】
ここで、スイッチ装置の釦２０３と、扉側の操作部の押し部３０１との関係寸法について説明する。
【００５３】
図５（ａ）に示すように、スイッチ装置の釦２０３の高さ寸法をＨ３とし、扉側の操作部の押し部３０１の高さ寸法をＨ５とし、上記スイッチ装置の釦２０３と押し部３０１との関係寸法、つまり上下の余裕寸法をＨ４やＨ６とすると、「Ｈ３＝Ｈ４＋Ｈ５＋Ｈ６」となる。
【００５４】
一方、冷蔵庫の外観向上のため扉間寸法、例えば図１に示すＨ１寸法は通常出来るだけ小さく設定されることは当業者のよく知る所である。
【００５５】
従って、Ｈ３寸法は出来るだけ小さい方が望ましい。つまり、Ｈ４やＨ６寸法も出来るだけ小さい方が望ましい。
【００５６】
しかし、冷蔵庫の扉は長期使用中の扉負荷等により扉位置が下がってしまう恐れがある。
【００５７】
従って、上述したようにフランジ部２０２ａとの間に押し込み寸法δｘを確保できるように、予め設定しておけば、扉自動開放装置１００の誤作動する恐れが少ない構成となる。
【００５８】
また、図４に示すように、冷蔵庫においては冷気の流出を防ぐためにパッキング閉塞面５４ａを形成する必要がある。
【００５９】
しかし、前述したように、扉は長期使用の扉負荷によって扉位置が下がってしまう場合、前記パッキン６２が前記防水リブ２０２ｂに当たりパッキンすきが発生する恐れがある。
【００６０】
従って、前述したように防水リブ２０２ｂ上縁部の厚さを側縁部に対して薄くなるように構成し、パッキング６２と防水リブ２０２ｂの距離を充分に確保すれば、たとえ下位置が下がっても、パッキング閉塞面５４ａが形成され冷気の流出する恐れが少なくなる。
【００６１】
また、図５（ａ）に示すように、防水リブ２０２ｂの下端の位置が摺動用穴２０２ｃの下面よりも下方としたため、防水リブ２０２ｂによってはじかれた水滴が防水リブ２０２ｂの側縁部を伝い摺動用穴２０２ｃに侵入する恐れが少ない構造となっている。
【００６２】
また、図５(ｂ)に示すように、防水リブ２０２ｂの開口上縁部の裏側に凹状溝２０２ｄを設けることによって、仕切板５４に付着した水滴がパッキング閉塞面５４ａ（鉄板）とケース部材２０２との合わせ目Ｅよりケース部材２０２側に入ったとしても、上記水滴は凹状溝２０２ｄに導かれケース内にはいることなく、ケース下端の合わせ目Ｆより外部に排出される。そのため、水滴が、防水リブ２０２ｂ側ではなく、防止リブ２０２ｂ裏側に流れこんだ場合にも、凹状溝２０２ｄにより防水され、スイッチ装置２００の後方（図５（ｂ）の右側）に浸水して電気接点機構２０１に接触する恐れが少なくなる。
【００６３】
以上のように構成されているので本発明の第１の実施例は、スイッチ装置２００を横仕切側に設けたケース部材の摺動用穴２０２ｃ内を前後に摺動する釦式とすると共に、該摺動用穴２０２ｃの開口上縁部及び側縁部に防水リブ２０２ｂを設けたので、万一、貯蔵食品のカスが降下したり、或いは液体状食品がこぼれたりして、横仕切前面に付着して、スイッチ装置の釦部に侵入しても、スイッチ装置の釦部が、防水リブによりガードされているので、スイッチ装置の釦部の作動不良を起こす恐れが少ないため、扉自動開放装置の故障の少ない冷蔵庫を提供できる。
【００６４】
また、防水リブ２０２ｂを、ケース部材の摺動用穴２０２ｃを延長した形状にすると共に、上記防水リブ先端２０２ｂｂを前記スイッチ装置の釦表面２０３ａと同一平面にし、且つ、前記釦下部は、前記摺動用穴開口面２０２ａとの間に押し込み寸法を確保するようにしたので、万一、長期使用中の扉負荷等により、扉位置が下がって前記扉側の操作部の押し部３０１が下がっても、摺動用穴開口面であるフランジ部２０２ａとの間に押し込み寸法δｘを確保できるようにしてあるので、扉自動開放操作部１００の誤作動する恐れが少ない冷蔵庫を提供できる。また、万一、該冷蔵庫に貯蔵した貯蔵食品のカスが降下したり、或いは液体状食品がこぼれたりして、前記スイッチ装置の釦表面２０３ａに付着しても、スイッチ装置の釦２０３が押された時に、該食品カスや液体状食品が前記δｘ寸法部より落下し易いため、前記釦２０３と、ケース部材２０２との摺動部の作動不良となる恐れが少ない冷蔵庫を提供できる。
【００６５】
また、防水リブ２０２ｂを、ケース部材２０２の摺動用穴２０２ｃを延長した形状にしたので、防水リブ２０２ｂとケース部材２０２とを、例えば、合成樹脂による射出成形若しくは圧縮成形等により一体的に製造できるため、従来例にて前述した図９の防水キャップ１０のような別部品を必要としないので、製造コスト上有利な冷蔵庫を提供できる。
【００６６】
また、扉閉め時は、操作部の押し部先端３０１ａと、スイッチ装置の釦２０３との間に間隙を設けたので、シール用パッキング６２等の寸法ばらつきが生じて小さくなっても、或いは、扉閉め時に過大な力で扉を押しても、扉自動開放装置の運転がＯＮしないので、誤作動の少ない冷蔵庫を提供できる。
【００６７】
また、扉自動開放装置の運転をＯＮ、ＯＦＦするスイッチ装置の釦２０３を押し込む操作部３００を、扉側に設けた扉開閉用のハンドル手掛部６１ａ近辺に設け、該ハンドル手掛部６１ａに掛けた手のうちの、少なくとも一本の指で、前記操作部を選択的に押せるようにしたので、該冷蔵庫の使用者の意思に従って、手軽に、扉自動開放装置の自動運転の有り、無し、を選択できる冷蔵庫を提供できる。
【実施例２】
【００６８】
以下、本発明の第２の実施例について、図６を参照しながら説明する。
【００６９】
図６は本発明の第２の実施例におけるスイッチ装置と操作部の説明図である。なお、前述した実施例１と同一構成については、同一符号を付して詳細な説明を省略する。
【００７０】
第２の実施例は図に示すように、引出し式扉４６ａの正面側に位置する操作部３１０を操作することにより、横仕切５４側に設けたスイッチ装置２１０をＯＮ、ＯＦＦして前記引出し式扉４６ａを自動開放するように構成してある。
【００７１】
そして、スイッチ装置２１０は、ホールＩＣ等の電気接点機構２１１を内蔵したスイッチ装置の釦２１３と、前記スイッチ装置の釦２１３を摺動可能に保持する摺動用穴２１２ｃを有するケース部材２１２とにより構成されている。
【００７２】
そして、前記ケース部材の摺動用穴２１２ｃの開口上縁部及び側縁部には、庫内よりこぼれた食品カスや液体状食品等が前記スイッチ装置の釦２１３に付着しないように防水リブ２１２ｂを設けてある。
【００７３】
換言すれば、扉側の操作部３１０によってスイッチ装置の釦２１３の表面部２０３ａが図に示すように押された場合にも、前述した食品カスや液体状食品等が前記スイッチ装置の釦２１３とケース部材２１２との摺動部２１３ｃに侵入し難いように、前記スイッチ装置の釦２１３を囲うように防水リブ２１２が設けてある。
【００７４】
そして、引出し式扉４６ａ側に位置する操作部３１０は、スイッチ装置の釦２１３に近接することにより、該釦２１３内に内蔵されたホールＩＣ等の電気接点機構２１１をＯＮ、ＯＦＦできる磁石３１４を内蔵した押し部３１１と、該押し部３１１を移動させるように構成された操作部の表面部３１２とにより構成されている。
【００７５】
そして、上記操作部の表面部３１２は、扉側に設けた扉開閉用のハンドル６１の手掛部６１ａ近辺に、且つ、該ハンドル手掛部６１ａに掛けた手のうちの、少なくとも一本の指で、前記操作部の表面部３１２を、選択的に押せるようにして設けてある。
【００７６】
以上のように構成されているので本発明の第２の実施例は、スイッチ装置の摺動用穴
２１２ｃの開口上縁部及び側縁部に防水リブ２１２ｂを設けたので、万一、貯蔵食品のカスが降下したり、或いは液体状食品がこぼれたりして、スイッチ装置の釦部２１３に侵入しても、スイッチ装置の釦部２１３が、防水リブ２１２ｂによりガードされているので、スイッチ装置の釦部２１３の作動不良を起こす恐れが少ないため、扉自動開放装置の故障の少ない冷蔵庫を提供できる。
【００７７】
また、スイッチ装置の釦２１３に内蔵する電気接点機構２１１を、例えば磁石感応型のリードスイッチ等にすれば、例えば、庫内灯や野菜照射用のＬＥＤ等のＯＮ、ＯＦＦシステムにも応用できる。
【実施例３】
【００７８】
以下、本発明の第３の実施例について、図７を参照しながら説明する。
【００７９】
図７は本発明の第３の実施例におけるスイッチ装置の説明図であり、（ａ）はスイッチ装置２２０の正面図、（ｂ）は（ａ）図におけるＢ−Ｂ線の断面説明図である。
【００８０】
図に示すように、スイッチ装置２２０は、スイッチ装置の釦２２３と、該スイッチ装置の釦２２３を摺動可能に保持する摺動用穴２２２ｃを有するケース部材２２２とにより構成されている。
【００８１】
そして、前記ケース部材の摺動用穴２２２ｃの開口上縁部の防水リブ２２２ｂには、水や液体状食品等が流れ易いような傾斜寸法、つまり図７（ａ）に示すδ１寸法を設けてある。このように、開口上縁部は、ほぼ中心を境に左右に傾斜する傾斜部を備えることで、液体状の食品等が流れやすくなっている。
【００８２】
そして、上記防水リブ２２２ｂには図７（ｂ）に示すδ２寸法を有する溝部２２５を設けてある。
【００８３】
つまり、万一、庫内よりこぼれた食品カスや液体状食品等がケース部材のフランジ部
２２２ａに落下してもスイッチ装置の釦２２３部に侵入し難い構成としてある。
【００８４】
以上のように構成されているので本発明の第３の実施例は、スイッチ装置の摺動用穴
２１２ｃの開口上縁部及び側縁部に防水リブ２１２ｂを設けたので、万一、貯蔵食品のカスが降下したり、或いは液体状食品がこぼれたりして、ケース部材のフランジ部２２２ａに落下しても、傾斜を持った防水リブ２２２ｂによりガードされているので、且つ、防水リブ２２２ｂには液体状食品がこぼれ難い溝部２２５が設けてあるので、スイッチ装置の釦部２２３部への侵入が少ない冷蔵庫を提供できる。
【００８５】
本発明の実施例に係るスイッチ装置を、横仕切側に設けたケース部材の摺動用穴内を前後に摺動する釦式とすると共に、該摺動用穴の開口上縁部及び側縁部に防水リブを設けたので、万一、液体状食品がこぼれたりしても、スイッチ装置の釦部が、防水リブによりガードされているので、スイッチ装置の釦部の作動不良を起こす恐れが少ない。従って、電気接点を有する洗濯機や除湿機等の家庭用電気製品の用途へも適用できる。
【図面の簡単な説明】
【００８６】
【図１】本発明の第１の実施例における冷蔵庫の構成を示す斜視図である。
【図２】図１における要部縦断面説明図である。
【図３】図２におけるＡ部の拡大説明図その１である。
【図４】図２におけるＡ部の拡大説明図その２である。
【図５】本発明の第１の実施例におけるスイッチ装置２００と操作部３００との相対位置関係を説明する説明図である。
【図６】本発明の第２の実施例におけるスイッチ装置と操作部の説明図である。
【図７】本発明の第３の実施例におけるスイッチ装置の説明図である。
【図８】従来例の要部断面説明図である。
【図９】従来例のドアスイッチ要部断面説明図である。
【符号の説明】
【００８７】
４０  冷蔵庫
４１  箱体
４２  冷蔵室
４２ａ  扉
４３ａ、４４ａ、４５ａ、４６ａ  引出し式扉
４３  製氷室
４４  切換室
４５  冷凍室
４５ｂ、４６ｂ  枠
４５ｃ、４６ｃ  容器
４６  野菜室
４７  圧縮機
４８  冷却器
４９  送風機
５０  制御装置
５２、５３、５４  横仕切
５４ａ  パッキング閉塞面
５５  スライドレール
５６  支持部材
６１  ハンドル
６１ａ  ハンドル手掛部
６１ｂ  支持部材
６１ｃ  ハンドルカバー
６２  シール用パッキング
１００  扉自動開放操作部
２００、２１０、２２０  スイッチ装置
２０１、２１１  電気接点機構
２０１ａ  電気接点機構のヘッド部
２０１ｂ  配線
２０２、２１２、２２２  ケース部材
２０２ａ、２１２ａ、２２２ａ  ケース部材のフランジ部
２０２ｂ、２１２ｂ、２２２ｂ  防水リブ
２０２ｂｂ  防水リブ先端
２０２ｃ、２１２ｃ、２２２ｃ  ケース部材の摺動用穴
２０３ｄ  凹状溝
２０３、２１３、２２３  スイッチ装置の釦
２０３ａ、２１３ａ  釦の表面部  
２０３ｃ、２１３ｃ  摺動部
２０３ｄ  釦の下部
２１４  バネ部材
２２５  溝部
３００、３１０  操作部
３０１、３１１  操作部の押し部
３０１ａ  押し部先端
３０２、３１２  操作部の表面部
３０３  バネ部材
３１４  磁石
４００  被駆動装置
５００  駆動装置
【図１】
2008196751.tif 000003
【図２】
2008196751.tif 000004
【図３】
2008196751.tif 000005
【図４】
2008196751.tif 000006
【図５】
2008196751.tif 000007
【図６】
2008196751.tif 000008
【図７】
2008196751.tif 000009
【図８】
2008196751.tif 000010
【図９】
2008196751.tif 000011